(57)【要約】【課題】  極めて簡単な構成で、紙粉の発生を抑え、ドラムフィルミングの発生を防止し、良好な画像品質を維持することにより、高品質な画像を出力することができる画像形成装置を提供することを目的とする。【解決手段】  トナー像が形成される感光体６１と、被記録用紙４を給紙部から感光体６１を経由して排紙部に搬送するための用紙搬送路５と、用紙搬送路５に配設され、感光体６１に形成されたトナー像と同期を取りながら被記録用紙４を搬送するレジストローラ５１、５２と、感光体６１とレジストローラ５１、５２の間に配設され、被記録用紙４を案内する転写前ガイド１０とを備える画像形成装置において、転写前ガイド１０のうち、感光体６１の直前に配設される下側のガイド部材１１の感光体６１側の少なくとも一部が、下側のガイド部材１１上を搬送される被記録用紙４の主走査方向における両端部４ｃと接触しないように形成する。【選択図】  図２
2006010874.tif 000002
【特許請求の範囲】
【請求項１】
トナー像が形成される感光体と、被記録用紙を給紙部から前記感光体を経由して排紙部に搬送するための用紙搬送路と、前記用紙搬送路に配設され、前記感光体に形成された前記トナー像と同期を取りながら前記被記録用紙を搬送するレジストローラと、前記感光体と前記レジストローラの間に配設され、前記被記録用紙を案内する転写前ガイドとを備える画像形成装置において、
前記転写前ガイドのうち、前記感光体の直前に配設される下側のガイド部材の前記感光体側の少なくとも一部が、前記下側のガイド部材上を搬送される前記被記録用紙の主走査方向における両端部と接触しないように形成されていることを特徴とする画像形成装置。
【請求項２】
前記下側のガイド部材の用紙案内面のうち、前記感光体側の少なくとも一部であって、前記主走査方向における前記被記録用紙の両端部に対応する部分に、段落ち部が形成されていることを特徴とする請求項１に記載の画像形成装置。
【請求項３】
前記下側のガイド部材上を搬送される前記被記録用紙が複数種類であって、前記段落ち部が、前記複数種類の被記録用紙の各々の両端部に対応する部分に形成されていることを特徴とする請求項２に記載の画像形成装置。
【請求項４】
前記転写前ガイドのうち、前記下側のガイド部材の前記感光体側の少なくとも一部の主走査方向の幅を、前記被記録用紙の幅よりも短くしたことを特徴とする請求項１に記載の画像形成装置。
【請求項５】
前記下側のガイド部材を、山形状に形成するとともに、前記主走査方向における前記下側のガイド部材の幅を、前記下側のガイド部材の頂部から前記感光体側の端部にかけて、前記被記録用紙の幅よりも短くしたことを特徴とする請求項４に記載の画像形成装置。
【請求項６】
前記下側のガイド部材上を搬送される前記被記録用紙が複数種類であって、前記下側のガイド部材の前記感光体側の少なくとも一部の主走査方向の幅を、前記下側のガイド部材によって案内される前記被記録用紙うち、最大幅の被記録用紙の幅よりも短くするとともに、前記複数種類の被記録用紙のうち、最大幅の被記録用紙を除く、前記複数種類の被記録用紙の各々の両端部に対応する部分に、段落ち部が形成されていることを特徴とする請求項１に記載の画像形成装置。
【請求項７】
前記下側のガイド部材を、山形状に形成するとともに、前記段落ち部を、前記下側のガイド部材の頂部から前記感光体側の端部にかけて形成したことを特徴とする請求項２、請求項３または請求項６のいずれかに記載の画像形成装置。
【請求項８】
前記レジストローラの幅を、前記被記録用紙の幅よりも長く形成したことを特徴とする請求項１乃至請求項７のいずれかに記載の画像形成装置。
【発明の詳細な説明】
【技術分野】
【０００１】
本発明は、複写機、プリンタ、ファクシミリなどの画像形成装置に関し、特に搬送過程における被記録用紙から発生する紙粉を抑え、ドラムフィルミングを防止し、良好な画像品質を維持することができる画像形成装置を提供するようにしたものである。
【背景技術】
【０００２】
一般的に、複写機、プリンタ、ファクシミリなどの画像形成装置においては、画像を形成する際に被記録用紙から異物が発生し、当該異物が、形成される画像に対して多くの悪影響を及ぼす場合がある。発生する異物の内容としては、特に被記録用紙が紙の場合、紙粉、紙の製造過程で添加される炭酸カルシウム（ＣａＣＯ３）、カオリン、タルクなどの添加剤や、塗布される添料、または紙に対して付着したゴミなどがある。特に、紙粉は、被記録用紙が画像形成装置内を搬送される際に画像形成装置内で受ける力学的刺激により発生するだけでなく、紙の製造工程において、例えば、裁断などの工程が介在することにより、端面加工の粗さに起因している。
【０００３】
このような、異物の存在は、特に形成する画像に悪影響を及ぼし、例えば、トナー像が形成される感光体に紙粉が付着すると、ドラムフィルミング層が形成され、複写画像の画質劣化を招くという問題がある。
【０００４】
また、前述の異物が画像形成装置の構成要素であり、特に感光体の周囲に配置される帯電装置の電極、または光センサの受発光部などに付着することによりこれらの性能を著しく低下させる。
【０００５】
更に、画像形成後の残留トナーを回収して、再び現像装置内に戻して再利用する際に、残留トナーに前述の異物が混入していると画像にカブリなどが発生し画像品位を低下させる。
【０００６】
このような点を考慮し、従来では、例えば、感光体より被記録用紙の搬送方向上流側に設けられ、被記録用紙に当接して回転する一対のレジストローラの上側のレジストローラに、この上側のレジストローラに対向するように形成した開口部を有する異物回収容器を、上側のレジストローラの母線方向と略平行に近接して設け、開口部の両端にスクレーパー部材及びスクイシート部材を、これらの先端が上側のレジストローラに当接するように設けたものがある。（例えば、特許文献１参照）。
【特許文献１】特許平７−２５５０３号公報
【発明の開示】
【発明が解決しようとする課題】
【０００７】
上述の特許文献記載においては、被記録用紙がレジストローラに至るまでに発生し、あるいは付着した紙粉などの異物は、上側のレジストローラに付着する。そして、上側のレジストローラに付着した紙粉などの異物は、上側のレジストローラの回転に従ってスクイシートの位置まで搬送され、スクイシートは弱い力でレジスト上ローラに当接しているのでスクイシートが当接している位置を上側のレジストローラに付着したまま通過して異物回収空間内に入る。その後、上側のレジストローラの回転に従って異物はスクレーパーの当接位置まで搬送され、スクレーパーにより上側のレジストローラから掻き落とされ、異物回収容器内に回収される構成となっている。
【０００８】
しかし、上述の特許文献記載の構成では、被記録用紙がレジストローラを通過した後に、被記録用紙を感光体に案内する転写前ガイドの下側のガイド部材と接触することに起因して発生する紙粉を回収することができない。従って、このような原因で発生した紙粉により上述のドラムフィルミングが発生し、結果として、良好な画像品質を維持することができない、などの問題点があった。
【０００９】
本発明は、上述した課題を解決するためになされたものであり、被記録用紙の主走査方向における両端部と、下側のガイド部材との接触により紙粉が発生することに着目し、極めて簡単な構成で、紙粉の発生を抑え、ドラムフィルミングの発生を防止し、良好な画像品質を維持することにより、高品質な画像を出力することができる画像形成装置を提供することを目的とする。
【課題を解決するための手段】
【００１０】
上記目的を達成するために、請求項１記載の発明では、トナー像が形成される感光体と、被記録用紙を給紙部から感光体を経由して排紙部に搬送するための用紙搬送路と、用紙搬送路に配設され、感光体に形成されたトナー像と同期を取りながら被記録用紙を搬送するレジストローラと、感光体とレジストローラの間に配設され、被記録用紙を案内する転写前ガイドとを備える画像形成装置において、転写前ガイドのうち、感光体の直前に配設される下側のガイド部材の感光体側の少なくとも一部が、下側のガイド部材上を搬送される被記録用紙の主走査方向における両端部と接触しないように形成する。
【００１１】
請求項２記載の発明では、下側のガイド部材の用紙案内面のうち、感光体側の少なくとも一部であって、主走査方向における被記録用紙の両端部に対応する部分に、段落ち部を形成する。
【００１２】
請求項３記載の発明では、下側のガイド部材上を搬送される被記録用紙が複数種類であって、段落ち部を、複数種類の被記録用紙の各々の両端部に対応する部分に形成する。
請求項４記載の発明では、転写前ガイドのうち、下側のガイド部材の感光体側の少なくとも一部の主走査方向の幅を、被記録用紙の幅よりも短くする。
【００１３】
請求項５記載の発明では、下側のガイド部材を、山形状に形成するとともに、主走査方向における下側のガイド部材の幅を、下側のガイド部材の頂部から感光体側の端部にかけて、被記録用紙の幅よりも短くする。
【００１４】
請求項６記載の発明では、下側のガイド部材上を搬送される被記録用紙が複数種類であって、下側のガイド部材の感光体側の少なくとも一部の主走査方向の幅を、下側のガイド部材によって案内される被記録用紙うち、最大幅の被記録用紙の幅よりも短くするとともに、複数種類の被記録用紙のうち、最大幅の被記録用紙を除く、複数種類の被記録用紙の各々の両端部に対応する部分に、段落ち部を形成する。
【００１５】
請求項７記載の発明では、下側のガイド部材を、山形状に形成するとともに、段落ち部を、下側のガイド部材の頂部から感光体側の端部にかけて形成する。
請求項８記載の発明では、レジストローラの幅を、被記録用紙の幅よりも長く形成する。
【発明の効果】
【００１６】
請求項１記載の発明の構成によれば、転写前ガイドのうち、感光体の直前に配設される下側のガイド部材の感光体側の少なくとも一部が、下側のガイド部材上を搬送される被記録用紙の主走査方向における両端部と接触しないように形成している。このため、被記録用紙の両端部は、感光体と近接する部分では、下側のガイド部材とは、非接触の状態で、感光体に搬送されるので、紙粉の発生は抑えられ、ドラムフィルミングの発生が防止できる。この結果、良好な画像品質を維持することができ、高品質な画像を出力することができる。
【００１７】
請求項２記載の発明の構成によれば、下側のガイド部材の用紙案内面のうち、感光体側の少なくとも一部であって、主走査方向における被記録用紙の両端部に対応する部分に、段落ち部を形成している。このため、被記録用紙の両端部は、感光体と近接する部分では、下側のガイド部材とは、非接触の状態で、感光体に搬送されるので、紙粉の発生は抑えられ、ドラムフィルミングの発生が防止できる。この結果、良好な画像品質を維持することができ、高品質な画像を出力することができる。しかもその構成は、下側のガイド部材の感光体側の用紙案内面の、この用紙案内面の上を搬送される被記録用紙の主走査方向の両端部に対応する部分に、段落ち部を形成すれば良く、その構成は、極めて簡単である。
【００１８】
請求項３記載の発明の構成によれば、下側のガイド部材上を搬送される被記録用紙が複数種類であって、段落ち部が、複数種類の被記録用紙の各々の両端部に対応する部分に、形成している。このため、各種類の被記録用紙の両端部は、感光体と近接する部分では、下側のガイド部材とは、非接触の状態で、感光体に搬送されるので、紙粉の発生は抑えられ、ドラムフィルミングの発生が防止できる。しかもその構成は、下側のガイド板の感光体側の案内面の、この案内面の上を搬送される複数種類の被記録用紙の主走査方向の両側の端部に対応する部分に、段落ち部を形成すれば良く、極めて簡単な構成であるとともに、複数種類の被記録用紙に対応することができ、都合が良い。
【００１９】
請求項４記載の発明の構成によれば、転写前ガイドのうち、下側のガイド部材の感光体側の少なくとも一部の主走査方向の幅を、被記録用紙の幅よりも短くしている。このため、被記録用紙の両端部は、感光体と近接する部分では、下側のガイド部材とは、非接触の状態で、感光体に搬送されるので、紙粉の発生は抑えられ、ドラムフィルミングの発生が防止できる。この結果、良好な画像品質を維持することができ、高品質な画像を出力することができる。しかもその構成は、下側のガイド部材の感光体側の主走査方向の幅を、この下側のガイド部材によって案内されながら搬送される被記録用紙の幅よりも短くすれば良く、その構成は、極めて簡単である。
【００２０】
請求項５記載の発明の構成によれば、下側のガイド部材を、山形状に形成するとともに、主走査方向における下側のガイド部材の幅を、下側のガイド部材の頂部から感光体側の端部にかけて、被記録用紙の幅よりも短くしている。このため、被記録用紙の両端部は、感光体と近接する部分では、下側のガイド部材とは、非接触の状態で、感光体に搬送されるので、紙粉の発生は抑えられ、ドラムフィルミングの発生が防止できる。この結果、良好な画像品質を維持することができ、高品質な画像を出力することができる。しかもその構成は、山形状に形成された下側のガイド部材の下側のガイド部材の頂部から感光体側の端部にかけて、主走査方向の幅を、この下側のガイド部材によって案内されながら搬送される被記録用紙の幅よりも短くすれば良く、その構成は、極めて簡単なである。
【００２１】
請求項６記載の発明の構成によれば、下側のガイド部材上を搬送される被記録用紙が複数種類であって、下側のガイド部材の感光体側の少なくとも一部の主走査方向の幅を、下側のガイド部材によって案内される被記録用紙うち、最大幅の被記録用紙の幅よりも短くするとともに、複数種類の被記録用紙のうち、最大幅の被記録用紙を除く、複数種類の被記録用紙の各々の両端部に対応する部分に、段落ち部を形成している。このため、各種類の被記録用紙の両端部は、感光体と近接する部分では、下側のガイド部材とは、非接触の状態で、感光体に搬送されるので、紙粉の発生は抑えられ、ドラムフィルミングの発生が防止できる。しかもその構成は、下側のガイド部材の感光体側の用紙案内面の上を搬送される最大幅の被記録用紙の幅よりも短くするとともに、被記録用紙のうち、最大幅の被記録用紙を除く、被記録用紙の各々の両端部に対応する部分に、段落ち部を形成すれば良く、極めて簡単な構成であるとともに、複数種類の被記録用紙に対応することができ、都合が良い。
【００２２】
請求項７記載の発明の構成によれば、下側のガイド部材を、山形状に形成するとともに、段落ち部を、下側のガイド部材の頂部から感光体側の端部にかけて形成している。このため、被記録用紙の両端部は、感光体と近接する部分では、下側のガイド部材とは、非接触の状態で、感光体に搬送されるので、紙粉の発生は抑えられ、ドラムフィルミングの発生が防止できる。この結果、良好な画像品質を維持することができ、高品質な画像を出力することができる。しかもその構成は、山形状に形成された下側のガイド部材の頂部から感光体側の端部にかけて、段落ち部を形成すれば良く、その構成は、極めて簡単である。
【００２３】
請求項８記載の発明の構成によれば、レジストローラの幅を、被記録用紙の幅よりも長く形成しているので、被記録用紙の端部が、レジストローラによりプレスされ、その後の搬送過程での紙粉の発生が抑制でき、都合が良い。
【発明を実施するための最良の形態】
【００２４】
（第１実施形態）
以下に、本発明の具体的な実施形態について図面を参照しながら説明する。図１は、本実施形態に係る画像形成装置としての複写機の全体構成を示す概略図である。
【００２５】
図１に示すように、この画像形成装置１は、装置本体２の下部に配設された給紙部３と、この給紙部３から給紙された被記録用紙４を搬送する用紙搬送路５と、給紙部３の下流側に配設された画像形成部６と、この画像形成部６の更に下流側に配設された定着部７と、これら画像形成部６および定着部７の上方に配設された画像読取部８とが備えられている。
【００２６】
給紙部３は、給紙カセット３１に積載された被記録用紙４の束を、給紙ローラ３２の回転動作によって最上位の被記録用紙４から１枚ずつ用紙搬送路５に給紙する。用紙搬送路５は、給紙部３から給紙された被記録用紙４を、上下一対のレジストローラ５１、５２および図示しない各種ローラ対によって画像形成部６に搬送し、さらに画像形成部６および定着部７において画像形成がなされた被記録用紙４を排出ローラ対５３によって装置本体２の側部に設けられた用紙排出トレイなどからなる排紙部５４に被記録用紙４を排出する。なお、下部側のレジストローラ５２は駆動用であり、例えば、合成樹脂により形成されている。また、上部側のレジストローラ５１は、従動用であり、例えば、ゴムにより形成されている。
【００２７】
画像形成を行う際には、先ず、コンタクトガラス８１上に載置された原稿に、露光ランプから光を照射し、反射鏡を介してその反射光をＣＣＤラインセンサなどからなる光電変換部に導くことにより、画像読取部８において原稿の画像情報を読み取る。
【００２８】
画像形成部６は、上記画像読取部８の下方に配設され、電子写真プロセスによって、被記録用紙４上に所定のトナー像を形成するもので、回転可能に軸支された光導電性を有する、例えば、像担持体であるドラム状の感光体（以下、「感光体」という）６１と、この感光体６１の周囲にその回転方向に沿って、帯電装置６２、露光装置６３、現像手段６４、転写装置６５、クリーニング装置６６、除電装置（図示せず）、および現像手段６４にトナーを補給するトナー補給手段６７を備えている。
【００２９】
定着部７は、画像形成部６の被記録用紙４の搬送方向の下流側に配置され、画像形成部６においてトナー像が転写された被記録用紙４を、一対の定着ローラ７１、７２によって挟んで加熱、加圧し、被記録用紙４上にトナー像を定着させる。
【００３０】
この画像形成装置１の基本的な作動状態を簡単に説明すると、帯電装置６２により図１で時計方向に回転する感光体６１が一様に帯電され、上述の画像読取部８で読み取られた画像情報に基づいて、例えば、レーザー走査装置などからなる露光装置６３からのレーザービームにより感光体６１上に静電潜像が形成され、現像手段６４により静電潜像に現像剤が付着されてトナー像が形成される。
【００３１】
上記のようにしてトナー像が形成された感光体６１に向けて、給紙部３から用紙搬送路５を通って被記録用紙４が画像形成部６に搬送される。このとき、被記録用紙４は、レジストローラ５１、５２により、感光体６１に形成されたトナー像と同期を取りながら搬送される。その後、画像形成部６において転写ローラなどからなる転写装置６５により感光体６１の表面におけるトナー像が被記録用紙４に転写される。そして、トナー像が転写された被記録用紙４は感光体６１から分離され、定着部７に搬送されてトナー像が定着される。定着部７を通過した被記録用紙４は、排出ローラ対５３を経て用紙排出トレイなどからなる排紙部５４に排出される。
【００３２】
そして、転写装置６５による転写後に感光体６１は、クリーニング装置６６および除電装置で残留トナー、残留電荷を除去して、必要に応じて再び帯電装置６２で帯電される。
このような基本動作が繰り返し実行されると、現像手段６４に収納されているトナーが消費される。この消費されたトナーを補給するため、感光体６１と反対側における現像手段６４の側方にトナーを補給するためのトナー補給手段（トナーコンテナ）６７が着脱自在に取り付けられている。
【００３３】
而して、本発明に従い、用紙搬送路５に設けられたレジストローラ５１、５２と、感光体６１との間に配設され被記録用紙４を案内する転写前ガイド１０の下側のガイド部材について、図２乃至図５を参照しながら説明する。図２は、本実施形態に係る画像形成装置における要部斜視図、図３は、感光体近傍を示す概略構成図、図４は、下側のガイド部材の要部を示す正面図、図５は、図４に示す下側のガイド部材の側面図である。なお、図２乃至図５には、二点差線で被記録用紙４を模式的に示してある。
【００３４】
用紙搬送路５内に設けられ、被記録用紙４を案内する転写前ガイド１０のうち、感光体６１の直前に配設される下側のガイド部材１１の少なくとも感光体６１側の一部は、この下側のガイド部材１１の上を搬送される被記録用紙４の搬送方向（図４において矢印ａで示す）に、直行する主走査方向の両端部４ｃと接触しないように形成されている。すなわち、本実施形態では、下側のガイド部材１１の用紙案内面１１ａの感光体６１側の少なくとも一部であって、被記録用紙４の両端部４ｃに対応する部分の感光体６１の近傍に、被記録用紙４の両端部４ｃと、用紙案内面１１ａとが接触しないように段落ち部１１ｂが形成されている。この下側のガイド部材１１や、他の部分のガイド部材１２は、例えば、ポリフェニレンエーテル樹脂などの合成樹脂を用い、それぞれ一体成形により形成することができる。また、レジストローラ５１、５２の幅は、被記録用紙４の幅Ｌ１よりも長く形成してある。
【００３５】
以上の構成による本実施形態によれば、下側のガイド部材１１の感光体６１側の用紙案内面１１ａであって、この用紙案内面１１ａの上を搬送される被記録用紙４の主走査方向の両端部４ｃに対応する部分に、段落ち部１１ｂが形成されている。このため、被記録用紙４の両端部４ｃは、感光体６１と近接する部分では、下側のガイド部材１１とは、非接触の状態で、感光体６１に搬送されるので、感光体６１の直前における紙粉の発生は抑えられ、ドラムフィルミングの発生が防止できる。この結果、良好な画像品質を維持することができ、高品質な画像を出力することができる。
【００３６】
また、その構成は、下側のガイド部材１１の用紙案内面１１ａの少なくとも感光体６１側の一部の、この用紙案内面１１ａの上を搬送される被記録用紙４の主走査方向の両端部４ｃに対応する部分に、段落ち部１１ｂを形成すれば良く、その構成は、極めて簡単である、などといった効果を奏する。
【００３７】
また、レジストローラ５１、５２の幅が、被記録用紙４の幅Ｌ１よりも長いので、被記録用紙４の両端部４ｃは、レジストローラ５１、５２によりプレスされ、両端部４ｃが、平滑化され、その後の搬送過程、すなわち、感光体６１の直前では、前述の段落ち部１１ｂにより、被記録用紙４の両端部４ｃが、下側のガイド部材１１と、非接触の状態で、感光体６１に搬送されることと相俟って、紙粉の発生を更に抑制できる。
（第２実施形態）
次に、本発明の第２実施形態について、図６および図７を参照しながら説明する。図６は、本発明の第２実施形態に係る下側のガイド部材の要部の一部を示す正面図、図７は、図６に示す下側のガイド部材の側面図である。なお、図６および図７において図１乃至図５と同じ符号を付した部分は略同一のものを示す。また、図６および図７には、二点差線で被記録用紙を模式的に示してある。以下、相違点を中心に説明する。
【００３８】
本実施形態では、感光体６１の直前に配設される下側のガイド部材１１の感光体６１側の主走査方向の少なくとも一部の幅Ｌ２を、この下側のガイド部材１１によって案内されながら搬送される被記録用紙４の幅Ｌ１よりも短く形成した点に特徴がある。
【００３９】
以上の構成による本実施形態によれば、下側のガイド部材１１の感光体６１側の主走査方向の幅Ｌ２が、この下側のガイド部材１１によって案内されながら搬送される被記録用紙４の幅Ｌ１よりも短いので、被記録用紙４の両端部４ｃは、感光体６１に近接する部分では、下側のガイド部材１１とは、非接触の状態で、感光体６１に搬送される。このため、被記録用紙４の両端部４ｃと、下側のガイド部材１１の用紙案内面１１ａとが接触することに起因する紙粉の発生は抑えられ、ドラムフィルミングの発生が防止できる。この結果、きわめて簡単な構成で、良好な画像品質を維持することができ、高品質な画像を出力することができる。
（第３実施形態）
次に、本発明の第３実施形態について、図８乃至図１０を参照しながら説明する。図８は、本発明の第３実施形態に係る画像形成装置である複写機における要部斜視図、図９は、本発明の第３実施形態に係る画像形成装置の感光体近傍を示す概略構成図、図１０は、下側のガイド部材の側面図である。なお、図８乃至図１０において図１乃至図７と同じ符号を付した部分は略同一のものを示す。また、図８乃至図１０には、二点差線で被記録用紙を模式的に示してある。以下相違点を中心に説明する。
【００４０】
本実施形態では、感光体６１と、レジストローラ５１、５２との間に配設される下側のガイド部材１１を山形状に形成するとともに、この下側のガイド部材１１の用紙案内面１１ａの上を搬送される複数種類、例えばＡ４縦と、Ｂ５縦の被記録用紙４ａ、４ｂの主走査方向の両端部４ｃに対応する部分に、それぞれ段落ち部１１ｂを形成する。この段落ち部１１ｂは、少なくとも下側のガイド部材１１の頂部１１ｔと、感光体６１側の端部１１ｃにかけて形成すればよい。
【００４１】
また、図示例において、外側に位置する段落ち部１１ｂ、すなわち、最大幅の被記録用紙４ａの主走査方向の両端部４ｃに対応する段落ち部１１ｂを省略し、この段落ち部１１ｂに換えて下側のガイド部材１１の主走査方向の幅を、最大幅の被記録用紙４ａの幅Ｌ１よりも短くしても良い。
【００４２】
以上の構成によるこの実施形態によれば、感光体６１と、レジストローラ５１、５２との間に配設される下側のガイド部材１１を山形状に形成するとともに、この下側のガイド部材１１の用紙案内面１１ａの上を搬送される複数種類の被記録用紙４ａ、４ｂの主走査方向の両端部４ｃに対応する部分であって、下側のガイド部材１１の頂部１１ｔと、感光体６１側の端部１１ｃにかけて、段落ち部１１ｂを形成している。従って、複数種類の被記録用紙４の両端部４ｃは、感光体６１に近接する部分では、下側のガイド部材１１とは、非接触の状態で、感光体６１に搬送される。このため、被記録用紙４の両端部４ｃと、下側のガイド部材１１の用紙案内面１１ａとが接触することに起因する紙粉の発生は抑えられ、ドラムフィルミングの発生が防止できる。この結果、良好な画像品質を維持することができ、高品質な画像を出力することができる。また、仮にレジストローラ５１、５２と、下側のガイド部材１１の頂部１１ｔとの間で、紙粉が発生しても、下側のガイド部材１１が、山形状に形成されているので、感光体６１側には、到達し難く、その影響を回避することができる。
【００４３】
しかも、その構成は、下側のガイド部材１１の用紙案内面１１ａの、この用紙案内面１１ａの上を搬送される複数種類の被記録用紙４ａ、４ｂの主走査方向の両端部４ｃに対応する部分に、段落ち部１１ｂを形成するのみで良く、極めて簡単な構成で、複数種類の被記録用紙４ａ、４ｂに対応することができ、都合が良い。
【００４４】
なお、上述した各実施形態は、本発明の好適な実施形態であるが、本発明はこれに限定されるものではなく、本発明の要旨を逸脱しない範囲において、種々変形実施可能である。
【００４５】
例えば、上述した各実施形態では、複写機を例に挙げて説明したが、本発明は、例えばプリンタ装置、ファクシミリ装置、スキャナ装置、そしてコピー機能、プリンタ機能、スキャナ機能およびファクシミリ機能などの各種機能を兼ね備えた複合機などに対しても適用可能である。
【００４６】
また、第３実施形態において、段落ち部１１ｂの形状を階段状に形成したが、例えば、ガイド部材１１の端部を緩やかに曲げても良いのは、勿論である。要は感光体６１と近接する部分で、下側ガイド部材の１１の用紙案内面１１ａと、被記録用紙４の両端部４ｃとが接触しないようにすれば良い。
【００４７】
また、上述した各実施形態では、転写前ガイド１０のうち、感光体の直前に配設される下側のガイド部材１１に段落ち部を形成したが、必要に応じて他のガイド部材１２（上側）も、同様に段落ち部などを形成しても良いのは、勿論である。
【産業上の利用可能性】
【００４８】
本発明の活用例としては、下側のガイド部材を有する用紙搬送路を備えた画像形成装置が挙げられる。
【図面の簡単な説明】
【００４９】
【図１】本発明の第１実施形態に係る画像形成装置としての複写機の全体構成を示す概略図である。
【図２】本発明の第１実施形態に係る画像形成装置における要部斜視図である。
【図３】画像形成装置の感光体近傍を示す概略構成図である。
【図４】下側のガイド部材の要部の一部を示す正面図である。
【図５】図４に示す下側のガイド部材の側面図である。
【図６】本発明の第２実施形態に係る下側のガイド板の要部の一部を示す正面図である。
【図７】図６に示す下側のガイド部材の側面図である。
【図８】本発明の第３実施形態に係る画像形成装置である複写機における要部斜視図である。
【図９】本発明の第３実施形態に係る画像形成装置の感光体近傍を示す概略構成図である。
【図１０】下側のガイド部材の側面図である。
【符号の説明】
【００５０】
１        画像形成装置
３        給紙部
４        被記録用紙
４ａ      被記録用紙（Ａ４縦）
４ｂ      被記録用紙（Ｂ５縦）
４ｃ      両端部
５        用紙搬送路
５１      レジストローラ
５２      レジストローラ
５４      排紙部
６１      感光体
１０      転写前ガイド
１１      ガイド部材（下側）
１２      ガイド部材（上側）
１１ａ    用紙案内面
１１ｂ    段落ち部
１１ｃ    端部
１１ｔ    頂部
Ｌ１      被記録用紙の幅
Ｌ２      下側のガイド部材の幅
【図１】
2006010874.tif 000003
【図２】
2006010874.tif 000004
【図３】
2006010874.tif 000005
【図４】
2006010874.tif 000006
【図５】
2006010874.tif 000007
【図６】
2006010874.tif 000008
【図７】
2006010874.tif 000009
【図８】
2006010874.tif 000010
【図９】
2006010874.tif 000011
【図１０】
2006010874.tif 000012